(57)【要約】  髄内デバイスは、縦軸に沿って近位端から遠位端へ伸びる髄内釘（９）を含み、髄内釘の近位部分は、近位端の開口部から縦軸に沿って伸びるキャビティ（１４）、およびその縦軸に沿ってキャビティ内へ挿入されるようにサイズと形状が調整された第一のインサート（２）と共に、それを通して横方向に伸びるロッキング孔（１５）を含み、ならびにロッキング孔と位置合わせされる横ボア（ｔｒａｎｓｖｅｒｓｅ  ｂｏｒｅ）（２０）およびキャビティ内に第一のインサートを保持するために第一のインサートの近位側のキャビティの内側表面と係合される第二のインサート（３）を含み、ならびにそれを通って縦方向に伸びる、挿入用器具と結合するための中央ボア（３０）を含む。【選択図】図１
2013530010.tif 000002
【特許請求の範囲】
【請求項１】
縦軸に沿って近位端から遠位端へ伸びる髄内釘であって：
前記近位端の開口部から前記縦軸に沿って伸びるキャビティ；
それを通してロッキングスクリューを受けるようにサイズと形状が調整された、横方向に前記釘を通って伸びる第一のロッキング孔；
前記キャビティに挿入されるようにサイズと形状が調整され、第一の横ボア（ｔｒａｎｓｖｅｒｓｅ  ｂｏｒｅ）であって、前記インサートが前記キャビティ内の所望される位置にある場合に、前記第一のロッキング孔を通して挿入されたロッキングスクリューが前記第一のボアを介して前記インサートを貫通するように、前記第一のボアが前記第一のロッキング孔と位置合わせされるように配置される、第一の横ボア、を含む第一のインサート；ならびに、
第二のインサートであって、前記キャビティ内の所望される位置において前記インサートをロックするために前記インサートの近位側の前記キャビティ内にロックするようにはめ込まれるようサイズと形状が調整された、第二のインサート、
を含む、髄内釘。
【請求項２】
前記第二のインサートが、前記釘へ結合されるべき器具をロックするように受けるよう構成された結合機構を有する中央ボアを含む、請求項１に記載の髄内釘。
【請求項３】
前記第一のインサートの外径Ｄが、前記第二のインサートの前記中央ボアの内径ｄよりも大きい、請求項１に記載の髄内釘。
【請求項４】
前記第一のインサートが、超高分子量ポリエチレン（ＵＨＭＷＰＥ）の材料から形成される、請求項１に記載の髄内釘。
【請求項５】
前記第一のインサートが、前記インサートがその中で回転不可となるように、前記キャビティの対応する形状の部分にはめ込まれるように形状調整された部分を含む、請求項１に記載の髄内釘。
【請求項６】
前記髄内釘が、横方向にそれを通して伸びる第二のロッキング孔を含む、請求項１に記載の髄内釘。
【請求項７】
第一および第二のロッキング孔が、互いに対して角度を有して、それを通して伸びる、請求項５に記載の髄内釘。
【請求項８】
前記第一のインサートが、前記インサートが前記キャビティ内の所望される位置にある場合、前記第二のロッキング孔と位置合わせされる第二の横ボアを含む、請求項５に記載の髄内釘。
【請求項９】
前記第二のインサートが、前記キャビティの近位端における雌ネジと係合する雄ネジをその外側表面周囲に含む、請求項１に記載の髄内釘。
【請求項１０】
前記第二のインサートが、レーザー溶接によって前記髄内釘の前記キャビティ内に固定される、請求項１に記載の髄内釘。
【請求項１１】
前記キャビティが、前記第一のインサートがそれを過ぎて遠位方向へ移動することを防止する停止部を含む、請求項１に記載の髄内釘。
【請求項１２】
縦軸に沿って近位端から遠位端へ伸びる髄内釘であって、前記釘は：
前記近位端の開口部から前記縦軸に沿って伸びるキャビティ；
それを通してロッキングスクリューを受けるようにサイズと形状が調整された、横方向に前記釘を通って伸びる第一のロッキング孔；
前記キャビティに挿入されるようにサイズと形状が調整され、第一の横ボアであって、前記インサートが前記キャビティ内の所望される位置にある場合に、前記第一のボアが前記第一のロッキング孔と位置合わせされるように配置される、第一の横ボア、を含む第一のインサート；ならびに、
第二のインサートであって、前記キャビティ内の所望される位置において前記インサートをロックするために前記インサートの近位側のキャビティ内にロックするようにはめ込まれるようサイズと形状が調整された、第二のインサート、
を含む、髄内釘；ならびに、
前記第一のロッキング孔を通って挿入され、前記第一のインサートを前記第一のボアを介して貫通するようサイズおよび形状が調整された第一のロッキングスクリューであって、前記ロッキングスクリューは、前記第一のインサートの前記横ボアの直径よりも大きい直径を有する、第一のロッキングスクリュー、
を有する、髄内釘システム。
【請求項１３】
前記第二のインサートが、前記釘へ結合されるべき器具をロックするように受けるよう構成された結合機構を有する中央ボアを含む、請求項１２に記載の髄内釘システム。
【請求項１４】
前記第一のインサートが、超高分子量ポリエチレン（ＵＨＭＷＰＥ）の材料から形成される、請求項１２に記載の髄内釘システム。
【請求項１５】
前記第一のインサートが、前記インサートがその中で回転不可となるように、前記キャビティの対応する形状の部分にはめ込まれるように形状調整された部分を含む、請求項１２に記載の髄内釘システム。
【請求項１６】
前記髄内釘が、横方向にそれを通して伸びる第二のロッキング孔を含む、請求項１２に記載の髄内釘システム。
【請求項１７】
第一および第二のロッキング孔が、互いに対して角度を有して、それを通して伸びる、請求項１６に記載の髄内釘システム。
【請求項１８】
前記第一のインサートが、前記インサートが前記キャビティ内の所望される位置にある場合、前記第二のロッキング孔と位置合わせされる第二の横ボアを含む、請求項１６に記載の髄内釘システム。
【請求項１９】
前記第二のロッキング孔を通して挿入され、前記第一のインサートを前記第二のボアを介して貫通する第二のロッキングスクリューをさらに含む、請求項１６に記載の髄内釘システム。
【請求項２０】
髄内釘のキャビティ内への第一のインサートの挿入であって、前記髄内釘は、縦軸に沿って近位端から遠位端へ伸びるものであり、それを通してロッキングスクリューを受けるようにサイズと形状が調整された横方向に釘を通って伸びる第一のロッキング孔を有しており、前記キャビティは、前記近位端の開口部から前記縦軸に沿って伸びるものであり、前記インサートは、第一の横ボアであって、前記インサートが前記キャビティ内の所望される位置にある場合に、前記第一のボアが前記第一のロッキング孔と位置合わせされるように配置される、第一の横ボアを含んでいる、挿入；ならびに、
前記髄内釘のキャビティ内への第二のインサートの挿入であって、前記第二のインサートは、前記キャビティ内の所望される位置において前記インサートをロックするために前記インサートの近位側の前記キャビティ内にてロックするようにはめ込まれるようサイズと形状が調整されている、挿入、
を含む、髄内釘を組み立てるための方法。
【請求項２１】
前記第二のインサートを、レーザー溶接によって前記キャビティに固定することをさらに含む、請求項２０に記載の方法。
【発明の詳細な説明】
【優先権主張】
【０００１】
本出願は、２０１０年７月９日出願、発明の名称が「Ｉｎｔｒａｍｅｄｕｌｌａｒｙ  Ｎａｉｌ」であり、その全ての開示内容が参照により本明細書に組み込まれる米国特許仮出願第６１／３６２，９３７号に対する優先権を主張するものである。
【技術分野】
【０００２】
本発明は、折れた骨の固定のための髄内釘全般に関し、より詳細には、挿入用器具のためのアタッチメント構造およびロッキングスクリューを髄内釘と強く確実に固定させるためのインサートを含む髄内釘に関する。
【背景技術】
【０００３】
髄内釘は、一般的に、骨接合を目的とする骨固定デバイスとして用いられる。このような髄内釘は、多くの場合、骨の中に髄内釘を安定化させるためか、または個々の骨断片を固定するために、髄内釘を通して横方向に挿入されるロッキングスクリューを特徴とする。このような髄内釘には、互いに対して異なる角度でそれを通して挿入される複数のロッキングスクリューを持たせる場合がある。ロッキングスクリューは、多くの場合、微動またはその他の負荷に起因して髄内釘からスクリューが外れてしまうことを防ぐために、プラスチックブッシングまたはリングを介して髄内釘に確実に固定される。このようなスクリューを髄内釘へ確実に固定するために、スクリューのブッシングへの締り嵌めおよび押し込みタッピング（ｆｏｒｃｅｄ  ｔａｐｐｉｎｇ）が一般的に適用される。その他の固定の特徴としては、機械的に変形し得る、および／または金属への押し込みタッピングが可能となり得る金属界面が挙げられる。このようなブッシングは、生体適合性である材料から形成されるべきである。しかし、そのような利用可能な材料は限られている。１つのそのような利用可能なプラスチック材料は、超高分子量ポリエチレン（ＵＨＭＷＰＥ）であり、これは、インプラント用として世界的に承認されてきた材料である。この材料の生体適合性は理想的なものであるが、この材料は、従来の加工および成型技術を用いて求められる精度で加工することが困難である。
【０００４】
横ロッキング孔（ｔｒａｎｓｖｅｒｓｅ  ｌｏｃｋｉｎｇ  ｈｏｌｅｓ）、およびロッキングスクリューをこれらのロッキング孔に確実に固定するためのインサートを含むロッキング髄内釘の例は、欧州特許第０３０６７０９号Ｂ明細書、ＤＡＵＥＲＥＲ（特許文献１）から公知である。この公知の髄内釘は、ロッキングスクリューを髄内釘のロッキング孔に確実に固定するように、ロッキングスクリューの外径よりも小さい直径を持つ横ボア（ｔｒａｎｓｖｅｒｓｅ  ｂｏｒｅｓ）を有する近位および遠位インサートを含む。このインサートは、髄内釘の中央キャビティ内に、スライドして挿入される。しかし、この公知の髄内釘は、挿入用器具を釘に取り付けるためのアタッチメント構造を近位端に有していない。
【０００５】
上述の髄内釘に付随する１つの問題は、一般的に用いられる髄内釘の近位端に通常は配置される挿入ハンドルまたはエイミングデバイス（ａｉｍｉｎｇ  ｄｅｖｉｃｅ）のためのアタッチメント機構に関連し、それは、アタッチメント機構の中央開口部を通して導入されるためには、インサートは小さい外径を有する必要があるということである。
【先行技術文献】
【特許文献】
【０００６】
【特許文献１】欧州特許第０３０６７０９号Ｂ明細書、ＤＡＵＥＲＥＲ
【発明の概要】
【発明が解決しようとする課題】
【０００７】
従って、釘と骨との間の固定を強固にするための、手術器具のためのアタッチメント機構および髄内釘のロッキング孔にロッキングスクリューを強く確実に固定することを可能とするインサートを有する、改善された髄内釘が依然として求められている。
【課題を解決するための手段】
【０００８】
本発明は、挿入用器具のためのアタッチメント機構、および髄内釘にロッキングスクリューを強く確実に固定するように適合され、構成された横孔を持つインサートを有する髄内釘に関する。
【０００９】
本発明によると、髄内釘は、縦軸に沿って近位端から遠位端へ伸びるものであり、この釘は、近位端の開口部から縦軸に沿って伸びるキャビティ、およびそれを通してロッキングスクリューを受けるようにサイズと形状が調整された横方向に釘を通って伸びる第一のロッキング孔を有し、それと共に、キャビティに挿入されるようにサイズと形状が調整され、第一の横ボアを含む第一のインサートであって、第一の横ボアは、インサートがキャビティ内の所望される位置にある場合に、第一のロッキング孔を通して挿入されたロッキングスクリューが第一のボアを介してインサートを貫通するように第一のボアが第一のロッキング孔と位置合わせされるように配置されている、第一のインサートと、キャビティ内の所望される位置においてインサートをロックするためにインサートの近位側のキャビティ内にロックするようにはめ込まれるようサイズと形状が調整された第二のインサートと、を有する。
【００１０】
本発明に従う髄内釘のいくつかの利点は、インサートを、髄内釘近位端の雌ネジを例とするアタッチメント機構を通して組み立てる必要がないことであり、従って、インサートの直径を大きくすることができる。加えて、直径の増加に起因して、インサートを、従来の加工および成型技術を用いることで、超高分子量ポリエチレン（ＵＨＭＷＰＥ）から製造することができる。さらに、インサート直径の増加に起因して、ロッキングスクリューを、インサートの横ボア内に、結果として髄内釘のロッキング孔内に、強く確実に固定することができる。
【００１１】
髄内釘の１つの代表的な実施形態では、第一のインサートは、外径Ｄを有し、中央ボアは、内径ｄを有し、ここで、外径Ｄは、第二のインサートの中央ボアの内径ｄよりも大きい。
【００１２】
髄内釘のさらなる代表的な実施形態では、第一のインサートは、超高分子量ポリエチレン（ＵＨＭＷＰＥ）から作られる。好ましくは、第二のインサートおよび髄内釘は、ＴＡＮから作られる。
【００１３】
髄内釘の別の代表的な実施形態では、第一のインサートは、髄内釘のキャビティ内での第一のインサートの回転を防止する回転防止機構を有する。この回転防止機構のために、第一のインサートは、第一のインサートの横ボアが髄内釘近位部のロッキング孔に位置合わせされるように、髄内釘に対して回転して固定される位置に保持される。
【００１４】
髄内釘のさらに別の代表的な実施形態では、第一のインサートは、２つ以上の横ボアを有する。
【００１５】
髄内釘のなおさらなる代表的な実施形態では、第一のインサートの少なくとも２つの横ボアが、異なる方向に伸びている。
【００１６】
髄内釘のさらにさらなる代表的な実施形態では、第二のインサートは、１つ以上のレーザー溶接部によって髄内釘のキャビティ内に固定される。好ましくは、レーザー溶接部は、円周溶接部である。別の選択肢として、レーザー溶接部は、２つの小さい縦溶接部である。加えて、第二のインサートは、雄ネジまたはプレス嵌めを介して、髄内釘のキャビティ内に固定してよい。
【００１７】
別の代表的な実施形態では、第一のインサートは、円柱形状である。
【００１８】
本発明のさらなる態様によると、髄内釘および１つ以上のロッキングスクリューを含むアセンブリが提供され、ここで、ロッキングスクリューは、第一のインサートの横ボアよりも大きい直径を有する。
【００１９】
本発明の別の態様によると、本発明に従う髄内釘を組み立てる方法が提供され、その方法は、第一のインサートを髄内釘のキャビティ内へ挿入する工程であって、髄内釘は、縦軸に沿って近位端から遠位端へ伸びるものであり、それを通してロッキングスクリューを受けるようにサイズと形状が調整された横方向に釘を通って伸びる第一のロッキング孔を有し、キャビティは、近位端の開口部から縦軸に沿って伸びるものであり、インサートは、第一の横ボアであって、インサートがキャビティ内の所望される位置にある場合に、第一のボアが第一のロッキング孔と位置合わせされるように配置される、第一の横ボアを含んでいる、工程と、第二のインサートを髄内釘のキャビティ内へ挿入する工程であって、第二のインサートは、キャビティ内の所望される位置においてインサートをロックするためにインサートの近位側のキャビティ内にてロックするようにはめ込まれるようサイズと形状が調整されている、工程とを含む。
【００２０】
本発明の好ましい実施形態を、添付の図面を参照して、例として以下で述べる。
【図面の簡単な説明】
【００２１】
【図１】図１は、本発明に従う髄内釘の代表的な実施形態の分解斜視図を示す。
【図２】図２は、図１の髄内釘の実施形態の縦断面の分解図を示す。
【図３】図３は、組み立てられた状態の図１の髄内釘の実施形態の縦断面を示す。
【図４】図４は、組み立てられた状態の図１の髄内釘の実施形態の斜視図を示す。
【図５】図５は、図１の髄内釘の実施形態の側面分解図を示す。
【発明を実施するための形態】
【００２２】
本発明は、以下の記述および添付の図面を参照することで、さらに理解することができ、ここで、類似の要素は、同じ符号で示される。本発明は、折れた骨の固定のための髄内釘全般に関し、より詳細には、挿入用器具のためのアタッチメント構造およびロッキングスクリューを髄内釘と強く確実に固定させるためのインサートを含む髄内釘に関する。「近位」および「遠位」の用語は、本明細書で用いられる場合、髄内釘使用者へ向かう（近位）およびそこから離れる（遠位）方向を意味することを意図していることには留意されたい。
【００２３】
図１から５に示されるように、髄内釘１は、縦軸１１に沿って近位端１３から遠位端へ伸びるものであり、その近位部分１２を通して伸びるキャビティ１４を含む。髄内釘１は、さらに、キャビティ１４を通して挿入可能である第一のインサート２および第二のインサート３を含む。髄内釘１は、近位部分１２および遠位部分９を含み、近位部分１２は、それを通して縦方向に伸びるキャビティ１４、およびそれを通して横方向に伸びるロッキングスクリューを受けるための複数のロッキング孔１５を含む。第一のインサート２は、キャビティ１４に挿入され、第二のインサート３は、第一のインサート２の近位側のキャビティ１４に挿入される。キャビティ１４は、縦軸１１と同軸方向に伸び、近位端１３にて開口している。キャビティ１４は、近位端１３にて、第二のインサート３とかみ合わせるためにその周囲に伸びる雌ネジ１９を含む、径が拡大された部分を含んでいてよい。さらに、キャビティ１４はまた、第一のインサート２が髄内釘１の遠位部９へ向かってそれを過ぎて遠位方向へ動くことを防ぐがために、軸停止部（ａｘｉａｌ  ｓｔｏｐ）１６を形成する絞り部分（ｃｏｎｔｒａｃｔｉｏｎ）も含んでいてよい。複数のロッキング孔１５は、縦軸１１に対して横方向に、髄内釘１の近位部分１２を通って伸びる。ロッキング孔１５の各々は、孔軸（ｈｏｌｅ  ａｘｉｓ）１７を有し、ロッキング孔１５の各々の孔軸１７が、髄内釘１の縦軸１１を直角に横切るように配置される。さらに、ロッキング孔１５は、髄内釘１の縦軸１１に沿って互いに間隔をおいて配置されている。ロッキング孔１５は、４つのロッキング孔１５の孔軸１７が、髄内釘１の縦軸１１に対して直角方向である断面で見た場合に互いに対して角度を有して伸びるように千鳥状に配置される。好ましい実施形態では、髄内釘１は、４つのロッキング孔１５を含む。しかし、当業者であれば、髄内釘１が、いかなる数のロッキング孔１５を含んでいてもよいことは理解されるであろう。
【００２４】
第一のインサート２は、中心軸２４に沿って近位端２１から遠位端２２まで伸びる円柱体２７を有していてよい。第一のインサート２は、遠位端２２に偏心ノーズ部２５を含む。第一のインサート２は、キャビティ１４内に同軸状に配置され、それを通して横方向に伸びる複数の横ボア２０を含み、横ボア２０の各々は、ボア軸２６を有する。横ボア２０は、ボア軸２６が中心軸２４に対して直角方向に伸びる形で配置され、等間隔であり、互いに対して等角度で伸びており、髄内釘１の近位部１２のロッキング孔１５の位置に対応している。従って、キャビティ１４へ挿入された際、第一のインサート２の横ボア２０は、髄内釘１の近位部１２のロッキング孔１５との正確な位置合わせが可能である。
【００２５】
図３に示されるように、偏心ノーズ部２５は、第一のインサート２がキャビティ１４へ挿入された際、キャビティ１４の相補的形状である偏心部分１０と係合される。従って、偏心ノーズ部２５および偏心部分１０は、回転防止機構６を形成し、これにより、髄内釘１のキャビティ１４に対する第一のインサート２の回転が防止される。第一のインサート２の円柱体２７はまた、第一のインサート２が完全にキャビィティ１４に挿入された際に髄内釘１のキャビティ１４の軸停止部１６と接触させるために、偏心ノーズ部２５の近位側に停止面（ｓｔｏｐ  ｆａｃｅ）２３も含んでいてよい。第二のインサート３も、中央ボア３０を含む円柱形状であってよい。第二のインサート３は、第一のインサート２の近位側において同軸状に、キャビティ１４中に固定されて配置される。第二のインサート３は、中央ボア３０の内側表面に沿って雌ネジ３１を、その外側表面に沿って雄ネジ３２を有してよく、これは、第二のインサート３がキャビティ１４とネジによって係合することができるように、キャビティ１４の径が拡大された部分の雌ネジ１９に対応している。キャビティ１４は、その中にショルダー部１８も含み、これは、径が拡大された部分の遠位側にあり、それによって、第二のインサート３がショルダー部１８と接触し、それを過ぎて遠位方向へ向かってキャビティ１４中へさらに移動することが防止される。
【００２６】
第一のインサート２は、偏心ノーズ部２５を有するものとして述べてきた。しかし、当業者であれば、他の構成のノーズ部も可能であることは理解されるであろう。例えば、ノーズ部は、同軸状であり得るが、キャビティ中の相補的形状である偏心部分と共に回転防止機構を提供するための平面エッジ部を有する。別の例では、ノーズ部は、例えば位数２の回転対称を有する２つ以上の相補エッジ部を特徴とするものであり得る。
【００２７】
図２に示されるように、第一のインサート２を受け、軸停止部１６およびショルダー部１８によって軸方向が制限されるキャビティ１４の部分は、長さＬを有し、これは、第一のインサート２の円柱体２７の長さｌ２よりも僅かに長い。第二のインサート３の中央ボア３０は、例えば挿入ハンドルおよび／またはエイミングデバイスなどの挿入用器具を髄内釘１へ結合するための固定構造として作用することができる。第一のインサート２は、外径Ｄを有し、中央ボア３０は、内径ｄを有し、ここで、インサート２の外径Ｄは、第二のインサート３の中央ボア３０の内径ｄよりも大きい。従って、第一のインサート２は、キャビティ１４中に完全に挿入されると、第二のインサート３の挿入によって軸方向の移動ができなくなり、第二のインサート３によってキャビティ１４中に保持される。
【００２８】
図４および５に示されるように、第二のインサート３は、髄内釘１のキャビティ１４中に、縦レーザー溶接部５を介して固定され、これは、髄内釘１の近位部分１２の壁を通して伸びる長形開口部（ｏｂｌｏｎｇ  ｏｐｅｎｉｎｇ）２８中に配置されてよい。１つの代表的な実施形態では、髄内釘１は、キャビティ１４中のショルダー部１８と髄内釘１の近位端１３との間に軸方向に位置する２つの縦レーザー溶接部５および２つの長形開口部２８を含む。さらに、２つの長形開口部２８は、それぞれ、髄内釘１の縦軸１１に対して平行に伸びる長軸を有し、縦軸１１に対して直角である断面で見た場合、この２つの長形開口部２８は、互いに角度を有して配置される。別の実施形態では、第二のインサート３は、第二のインサート３の外部表面と、第二のインサート３を受ける近位端１３における径が拡大された部分の内部との間にて、髄内釘１の近位端１３におけるキャビティ１４に対して、例えば円周溶接により、溶接されてよい。
【００２９】
さらに、第一のインサート２の横ボア２０は、骨へ髄内釘１をロックするのに用いられるロッキングスクリュー（図示せず）よりも小さい直径を有する。従って、ロッキングスクリューのネジは、それぞれの横ボア２０の境界を形成する壁の中へと切り込むことになり、それによって、ロッキングスクリューは、横ボア２０内での、結果として髄内釘１のロッキング孔１５内での緩みから保護され、従って、髄内釘１中でのロッキングスクリューの強固な固定を達成することができる。
【００３０】
本発明およびその利点について詳細に記載してきたが、添付の請求項によって定められる本発明の趣旨および範囲から逸脱することなく、本発明に種々の改変、置き換え、および変更を行ってよいことは理解されるべきである。さらに、本出願の範囲は、本明細書で述べるプロセス、機械、製造、物質の組成、手段、方法、および工程の特定の実施形態に限定されることを意図するものではない。当業者であれば本発明の開示から容易に理解されるように、本明細書で述べる対応する実施形態と実質的に同じ機能を発揮するか、もしくは実質的に同じ結果を達成する既存の、または後に開発されるであろうプロセス、機械、製造、物質の組成、手段、方法、または工程を、本発明に従って用いてよい。
【００３１】
当業者であれば、添付の請求項の広い範囲から逸脱することなく、本発明の種々の改変および変形を行ってよいことは理解されるであろう。これらの中には、上記で考察したものもあり、当業者に明らかであるものもある。
【図１】
2013530010.tif 000003
【図２】
2013530010.tif 000004
【図３】
2013530010.tif 000005
【図４】
2013530010.tif 000006
【図５】
2013530010.tif 000007
【国際調査報告】
2013530010.tif 000008
2013530010.tif 000009
2013530010.tif 000010